(57)【要約】【課題】記録ヘッドのノズル面をワイピング部材でワイピングするときに生じる記録ヘッドのへのインクの転写や飛び散りを簡単な構成で低減することができない。【解決手段】維持回復機構側にはキャリッジ２及び記録ヘッド１とは別体で、記録ヘッド１をワイピング位置にしたときに、記録ヘッド１のワイピング方向上流側で、記録ヘッド１のノズル面１ａよりも間隔（開始側ギャップ）Ｘだけ突き出した前方側に位置し、ワイパーブレード３が接触する平板状のガイド部材１１が設けられ、記録ヘッド１のワイピング方向下流側で、記録ヘッド１のノズル面１ａよりも間隔（終了側ギャップ）Ｙだけ後退した後方側に位置し、ワイパーブレード３が接触する平板状のガイド部材１２が設けられている。【選択図】図１
2007136991.tif 000002
【特許請求の範囲】
【請求項１】
記録液の液滴を吐出するノズルを有する記録ヘッドの前記ノズルが形成されたノズル面を清掃するためのワイピング部材を備える画像形成装置において、前記記録ヘッドのワイピング方向上流側には前記記録ヘッドのノズル面よりも前方側に前記ワイピング部材が接触するガイド部材が設けられていることを特徴とする画像形成装置。
【請求項２】
請求項１に記載の画像形成装置において、前記ガイド部材は前記ワイピング部材を前記記録ヘッドのノズル面に近づく方向に案内することを特徴とする画像形成装置。
【請求項３】
記録液の液滴を吐出するノズルを有する記録ヘッドの前記ノズルが形成されたノズル面を清掃するためのワイピング部材を備える画像形成装置において、前記記録ヘッドのワイピング方向下流側には前記記録ヘッドのノズル面よりも後方側に前記ワイピング部材が接触するガイド部材が設けられていることを特徴とする画像形成装置。
【請求項４】
請求項３に記載の画像形成装置において、前記ガイド部材は前記ワイピング部材を前記記録ヘッドのノズル面側から離れる方向に案内することを特徴とする画像形成装置。
【請求項５】
記録液の液滴を吐出するノズルを有する記録ヘッドの前記ノズルが形成されたノズル面を清掃するためのワイピング部材を備える画像形成装置において、前記記録ヘッドのワイピング方向上流側には前記記録ヘッドのノズル面よりも前方側に前記ワイピング部材が接触するガイド部材が設けられ、前記記録ヘッドのワイピング方向下流側には前記記録ヘッドのノズル面よりも後方側に前記ワイピング部材が接触するガイド部材が設けられていることを特徴とする画像形成装置。
【請求項６】
請求項５に記載の画像形成装置において、前記記録ヘッドのワイピング方向上流側の前記ガイド部材は前記ワイピング部材を前記記録ヘッドのノズル面に近づく方向に案内し、前記記録ヘッドのワイピング方向下流側の前記ガイド部材は前記ワイピング部材を前記記録ヘッドのノズル面から離れる方向に案内することを特徴とする画像形成装置。
【請求項７】
請求項１ないし６のいずれかに記載の画像形成装置において、前記ガイド部材は前記記録ヘッド及びこの記録ヘッドを搭載するキャリッジとは別体の部材であることを特徴とする画像形成装置。
【請求項８】
請求項７に記載の画像形成装置において、前記ガイド部材は移動可能に設けられていることを特徴とする画像形成装置。
【請求項９】
請求項１ないし８のいずれかに記載の画像形成装置において、前記ワイピング部材は前記ワイピング方向に対して斜めに配置されていることを特徴とする画像形成装置。
【請求項１０】
請求項１ないし９のいずれかに記載の画像形成装置において、前記ワイピング部材のワイピング方向が記録ヘッドに対して斜めになる方向に配置されていることを特徴とする画像形成装置。
【請求項１１】
請求項１ないし１０のいずれかに記載の画像形成装置において、複数の記録ヘッドの各々について前記ガイド部材を備えていることを特徴とする画像形成装置。
【請求項１２】
請求項１ないし１０のいずれかに記載の画像形成装置において、複数の記録ヘッドの各々について前記ワイピング部材を備えていることを特徴とする画像形成装置。
【請求項１３】
請求項１ないし１２のいずれかに記載の画像形成装置において、前記記録液が色材として顔料を含む記録液であることを特徴とする画像形成装置。
【請求項１４】
請求項１ないし１３のいずれかに記載の画像形成装置において、前記記録ヘッドの記録液滴を吐出させる圧力を発生する手段が、縦振動モードの圧電振動子、撓み振動モードの圧電振動子、記録液を加熱する電気熱変換素子のいずれかであることを特徴とする画像形成装置。
【発明の詳細な説明】
【技術分野】
【０００１】
本発明は画像形成装置に関し、特に記録液を吐出して画像を形成する画像形成装置に関する。
【背景技術】
【０００２】
プリンタ、ファクシミリ、複写装置、これらの複合機等の画像形成装置として、例えばインクジェット記録装置が知られている。インクジェット記録装置は、記録ヘッドから記録紙等の被記録媒体（以下「用紙」と称するが、材質を紙に限定するものではなく、記録媒体、転写紙、転写材、被記録材などとも称される。）に記録液の液滴であるインク滴を吐出して記録（画像形成、印写、印字、印刷なども同義語である。）を行うものである。
【０００３】
このような記録液の液滴を吐出して画像を形成する画像形成装置にあっては、記録液滴を吐出することから記録ヘッドの性能を維持、回復する維持回復動作が必要である。そのため、インクの自然蒸発によるノズル孔付近の記録液の増粘固着を防止するために密閉性の高いキャップ部材で覆うキャップ機能、ノズル内に発生した気泡などによる吐出不良を記録液を排出することで回復し、またキャップ機能を通じてヘッドのノズルから記録液を吸引排出する吐出回復機能と、ノズル面に付着し液滴の飛翔状態を変化させる原因となる残留記録液をワイピング部材（ワイパーブレード、ワイピング部材、ブレードなどとも称される。）で拭き取るためのワイピング機能、画像形成に寄与しない液滴吐出を行う空吐出（予備吐出）機能などを備えている。
【０００４】
このうち、ワイピング部材によって記録ヘッドのノズル面をワイピングするとき、ワイピング部材の弾性変形によってワイピング開始端における記録ヘッドの側面へのインクの付着やワイピング終了端におけるワイピング部材の復元によってインクが飛散するという問題がある。
【０００５】
例えば図１１に示すように、キャリッジ５０１に備えられた記録ヘッド５０２のノズル面５０２ａに対してワイパーブレード５０３をワイピング方向に移動させてワイピングするとき、ワイパーブレード５０３にクリーニング機構などで除去できなかった残インクがワイパーブレード５０３の先端部に付着した状態になり、記録ヘッド５０２の角部にワイパーブレード５０３が当接することによって残インクが記録ヘッド５０２の側面に転移されて残インク５０４として蓄積されることになる。この現象はワイピング動作を繰り返すたびに起きることであり、やがて残インク５０４は記録ヘッド１の側面からから滴り落ち、図示されない印刷対象に滴下するという事態が発生する。
【０００６】
加えて、さらにワイピングが進んだ場合、図１２に示すように、記録ヘッド５０２のノズル面５０２ａに残留している残インク５０５をワイパーブレード５０３によって拭き取るとき、ワイパーブレード５０３表面には多くの残インク５０５が付着することになるが、ワイパーブレード５０３が記録ヘッド５０２のノズル面５０２ａを抜けるときに、ワイパーブレード５０３は屈曲した状態から破線で示すように元の状態に復元することなり、ワイパーブレード５０３が急激に元の形状に戻るとその反動でワイパーブレード５０３に付着している残インクが飛散滴５０６となって回りに飛び散り周辺をインクで汚すことになる。
【０００７】
このようなワイパーブレードによるワイピング動作に伴う不都合を解消するために、従来から種々の提案がなされている。例えば、特許文献１には、記録ヘッドのノズル面の下流側に逃げ面を設けることによって、ワイパーブレードが復元するときの撓みを次第に小さくするようにしてワイパーブレード上のインクが弾き飛ばされないようにすることが記載されている。
【特許文献１】特開２００２−７９６８０号公報
【０００８】
また、特許文献２には、記録ヘッドのノズル面を保護する保護部材を、ワイピングの開始側の端部やワイピング終了側の端部が傾斜した形状にすることで、ワイパーブレードの急激な弾性変形を抑えルようにすることが記載されている。
【特許文献２】特開２００２−１６０３７７号公報
【０００９】
また、特許文献３には、多数の溝により構成されたワイパー清浄部をキャリッジに設け、このワイパー清浄部でワイパーブレードに付着したインクを毛管現象で吸収することで垂れ落ちや飛散を防ぐようにすることが記載されている。
【特許文献３】特開２００３−１８３４号公報
【００１０】
また、特許文献４には、ヘッド側にブレード用クリーナーを備えて、このクリーナーによってワイパーブレードが拭き取ったインクを吸収することで、インクの飛散を防ぐようにすることが記載されている。
【特許文献４】特開２０００−２６３８００号公報
【００１１】
また、特許文献５には、キャリッジが移動して記録ヘッドのノズル面をワイピングするとき、ワイパーブレードが上下してノズル面に当接することで拭き始めと拭き終わりを適切にし、ワイパーブレードが記録ヘッドのヘッド部を拭くことがないようにすることが記載されている。
ある。
【特許文献５】特許第３３４７１９５号公報
【発明の開示】
【発明が解決しようとする課題】
【００１２】
しかしながら、特許文献１のように記録ヘッドのノズル面に逃げ面を加工することは記録ヘッドのノズル形成部材の加工が必要になってコストが高くなる。また、特許文献２のように記録ヘッドのノズル面を保護する保護部材に傾斜を設けた場合には、ワイパーブレードがノズル面に確実に接触しなくなるおそれが生じる。また、特許文献３、４のようにワイパーブレードを清掃するワイパークリーニング機構を備えても、ワイパーブレードから完全に残インクを回収することは難しく、また、ワイピング終了端におけるワイパーブレードの復元によるインクの飛び散りを防止することは難しい。さらに、ワイパーブレードの記録ヘッドのノズル面に対する当接タイミングを制御しても、やはり、記録ヘッドのノズル面のエッジ部に残留インクが発生し、特に、顔料系インクなどの粘度の高いインクの場合には残留インクの発生が著しい、という課題がある。
【００１３】
本発明は上記の課題に鑑みてなされたものであり、簡単な構成で記録ヘッドへの残留記録液の転移や残留記録液の飛散を防止して安定して記録ヘッドのノズル面をクリーニングすることができる画像形成装置を提供することを目的とする。
【課題を解決するための手段】
【００１４】
上記の課題を解決するため、本発明に係る画像形成装置は、記録ヘッドのワイピング方向上流側には記録ヘッドのノズル面よりも前方側にワイピング部材が接触するガイド部材が設けられている構成とした。
【００１５】
ここで、ガイド部材はワイピング部材を記録ヘッドのノズル面に近づく方向に案内することが好ましい。
【００１６】
本発明に係る画像形成装置は、記録ヘッドのワイピング方向下流側には記録ヘッドのノズル面よりも後方側にワイピング部材が接触するガイド部材が設けられている構成とした。
【００１７】
ここで、ガイド部材はワイピング部材を記録ヘッドのノズル面側から離れる方向に案内することが好ましい。
【００１８】
本発明に係る画像形成装置は、記録ヘッドのワイピング方向上流側には記録ヘッドのノズル面よりも前方側にワイピング部材が接触するガイド部材が設けられ、記録ヘッドのワイピング方向下流側には記録ヘッドのノズル面よりも後方側にワイピング部材が接触するガイド部材が設けられている構成とした。
【００１９】
ここで、記録ヘッドのワイピング方向上流側のガイド部材はワイピング部材を記録ヘッドのノズル面に近づく方向に案内し、記録ヘッドのワイピング方向下流側のガイド部材はワイピング部材を記録ヘッドのノズル面から離れる方向に案内することが好ましい。
【００２０】
これらの本発明に係る画像形成装置においては、ガイド部材は記録ヘッド及びこの記録ヘッドを搭載するキャリッジとは別体の部材である構成、ガイド部材は移動可能に設けられている構成、ワイピング部材はワイピング方向に対して斜めに配置されている構成、ワイピング部材のワイピング方向が記録ヘッドのノズルの並び方向に対して斜めになる方向に配置されている構成、複数の記録ヘッドの各々についてガイド部材を備えている構成、複数の記録ヘッドの各々についてワイピング部材を備えている構成、記録液が色材として顔料を含む記録液である構成、記録ヘッドの記録液滴を吐出させる圧力を発生する手段が、縦振動モードの圧電振動子、撓み振動モードの圧電振動子、記録液を加熱する電気熱変換素子のいずれかである構成とすることができる。
【発明の効果】
【００２１】
本発明に係る画像形成装置によれば、記録ヘッドのワイピング方向上流側には記録ヘッドのノズル面よりも前方側にワイピング部材が接触するガイド部材が設けられている構成、又は、記録ヘッドのワイピング方向下流側には記録ヘッドのノズル面よりも後方側にワイピング部材が接触するガイド部材が設けられている構成、若しくはこれらの各ガイド部材が設けられている構成としたので、簡単な構成で記録ヘッドへの残留記録液の転移や残留記録液の飛散を防止して安定して記録ヘッドのノズル面をクリーニングすることができる。
【発明を実施するための最良の形態】
【００２２】
以下、本発明の実施形態について添付図面を参照して説明する。先ず、本発明の第１実施形態について図１及び図２を参照して説明する。なお、図１は維持回復機構の位置における１つの記録ヘッドの近傍部分の模式的説明図、図２は図１の平面説明図である。
記録ヘッド１は主走査方向に移動走査するキャリッジ２に搭載されている。記録ヘッド１としては液滴を吐出するノズルと、ノズルが連通する液室（流路）と、液室内のインク（記録液）を加圧する圧力を発生するための圧力発生手段とを備えている。圧力発生手段としては、例えば、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。圧電アクチュエータとしては撓み振動を用いる構成、縦振動を用いる構成のいずれのものでもよい。
【００２３】
記録ヘッド１から吐出するインクとしては色材としての染料を含む染料系インク、色材としての顔料を含む顔料系インク、顔料系インクとしては、顔料表面に親水基をつけたタイプのもの、顔料をポリマーエマルジョンで包んだタイプのもの、不溶性顔料を界面活性剤あるいは水溶性樹脂で分散したものなどを挙げることができる。
【００２４】
維持回復機構側には、キャリッジ２の記録ヘッド１をワイピング位置に移動させたとき、主走査方向と直交する方向に移動して記録ヘッド１のノズル面１ａをワイピング（払拭）して清浄化するためのワイピング部材であるワイパーブレード３が、ワイピング方向に移動可能に配置されている。
【００２５】
そして、維持回復機構側にはキャリッジ2及び記録ヘッド１とは別体で、記録ヘッド１をワイピング位置にしたときに、記録ヘッド１のワイピング方向上流側（ワイピング開始側）で、記録ヘッド１のノズル面１ａよりも間隔（開始側ギャップ）Ｘだけ突き出した前方側に位置し、ワイパーブレード３が接触する平板状のガイド部材１１が設けられ、記録ヘッド１のワイピング方向下流側（ワイピング終了側）で、記録ヘッド１のノズル面１ａよりも間隔（終了側ギャップ）Ｙだけ後退した後方側に位置し、ワイパーブレード３が接触する平板状のガイド部材１２が設けられている。
【００２６】
ここで、開始側ギャップＸは開始側（上流側）ガイド部材１１の平坦部１１ｂの表面とノズル面１ａとのギャップであり、実際的には０．２〜０．５ｍｍ程度の値としている。同様に、終了側（下流側）ギャップＹは終了側（下流側）ガイド部材１２の平坦部１２ｂの表面とノズル面１ａとのギャップであり、同じく実際的には０．２〜０．５ｍｍ程度の値としている。
【００２７】
また、上流側ガイド部材１１にはワイピング方向最上流側端部から下流側に向って下方に傾斜した傾斜部１１ａが形成され、下流側ガイド部材１２にはワイピング方向上流側から最下流側端部に向って上方に傾斜した傾斜部１２ａが形成されている。
【００２８】
このように構成したので、図３に示すように、ワイパーブレード３が記録ヘッド１のノズル面１ａをワイピング方向に向けて相対的に移動するとき、ワイパーブレード３の先端部は開始側ガイド部材１１の傾斜部１１ａに接触し、更に開始側ガイド部材１１の平坦部１ｂに移動する。その後、ワイパーブレード３は開始側ガイド部材１１の平坦部１１ｂを抜けて記録ヘッド１のノズル面１ａに接触し、ノズル面１ａの残留インクを払拭する。その後、ノズル面１ａを抜けて終了側ガイド部材１２の平坦部１２ｂに接触し、終了側ガイド部材１２の傾斜部１２ｂに接触しながら元の形状に復元する。
【００２９】
つまり、図３に示すように、ワイパーブレード３は、最初はまっすぐな形状をしているが、ワイピング方向に移動するに従って開始側ガイド部材１１に接触し、開始側ガイド部材１１の表面にそって緩やかに屈曲されていく。そして、開始側ガイド部材１１表面をワイピングしながら開始側ギャップＸを乗り越えて行くことになる。このとき、開始側ギャップＸがあるので、ワイパーブレード３に付着している残留インク５は記録ヘッド１の側面１ｂやノズル面１ａと側面１ｂとのエッジ部などに転移することなく、ワイパーブレード３とともにノズル面１ａに移動する。
【００３０】
そして、ワイパーブレード３は残留インク５を伴ったまま記録ヘッド１のノズル面１ａに付着している残留インク７（図１参照）を払拭し、これらの付着ないし払拭した残留インク６を伴ってノズル面１ａを抜けることになる。このとき、記録ヘッド１の下流側には終了側ガイド部材１２が配置されているので、ワイパーブレード３に付着している残留インク６が記録ヘッド１のノズル面１ａや側面１ｃに残ることがなく、また、ワイパーブレード３はすぐに元の形状に復元しないために付着している残留インク６が弾き飛ばされることもない。
【００３１】
その後、ワイパーブレード３は終了側ガイド部材１２の傾斜部１２ａに至って徐々に屈曲状態からまっすぐな元の状態に戻るので、この段階でもワイパーブレード３に付着している残留インク６が飛び散ることなくワイピングを終了する。なお、ワイパーブレード３に残った残留インク６は重力によってワイパーブレード３を伝って落下し、図示されない残留インク受けに貯留される。
【００３２】
このように、記録ヘッドのワイピング方向上流側には記録ヘッドのノズル面よりも前方側にワイピング部材が接触するガイド部材が設けられ、記録ヘッドのワイピング方向下流側には記録ヘッドのノズル面よりも後方側にワイピング部材が接触するガイド部材が設けられているので、簡単な構成で記録ヘッドへの残留記録液の転移や残留記録液の飛散を防止して安定して記録ヘッドのノズル面をクリーニングすることができる。なお、上流側ありは下流側にだけガイド部材を設けた場合にはその限度で同様の作用効果が得られる。
【００３３】
つまり、清掃対象である記録ヘッドのノズル面をワイピングするとき、開始側ガイド部材の表面がノズル面よりもワイパーブレード側にあって、その開始側ガイド部材表面をワイピングしながら移動して行くので、どこにも扱かれるところがなく、ワイパーブレード上に残っている残留記録液が記録ヘッドに転写されることがなく、ワイピングのときにワイパーブレードの残留記録液を記録ヘッドに擦りつけることがない。また、記録ヘッドのノズル面を抜けるワイピング終了時も終了側ガイド部材がノズル面よりもワイパーブレードから離れた側にあるので扱かれることがなく、記録ヘッドには記録液が残りにくく、常に清浄な状態で印刷を行うことができ、印刷対象物を記録液の垂れなどで汚すことがなくなる。
【００３４】
また、ガイド部材をキャリッジ、ヘッドと別体としているので、開始側ガイド部材を記録ヘッドのノズル面より印刷対象側にギャップを持たせて具備しても、印刷のときには記録ヘッドと被記録媒体の隙間を小さく構成していても印刷には何ら支障を来たすことがなくなる。つまり、一般的に、記録ヘッドと被記録媒体のギャップが小さければ小さい程液滴の曲がりなどによる影響が少なくなり印写精度が良くなるので、記録ヘッドのノズル面と被記録媒体との距離（ギャップ）はできるだけ小さく、１ｍｍ前後で構成されることが多い。そのため、記録ヘッド及び記録ヘッドを搭載するキャリッジには、ノズル面よりも突出した部材を設けると、被記録媒体が引っ掛かったり、ノズル面をキズつけたりする。そこで、ガイド部材をキャリッジ、ヘッドと別体として、維持回復機構側に配置することによって、印写時に被記録媒体と干渉することがなく、ノズル面と被記録媒体とのギャップを小さくして印写精度を向上することができる。
【００３５】
さらに、開始側、終了側のガイド部材にワイパの急激な変形を防ぐ傾斜部を設けることによって、ワイパーブレード及び記録ヘッドのノズル面に残留した記録液をワイピングしたときに、周辺に残留記録液が飛び散ることがなくなる。
【００３６】
次に、本発明の第２実施形態について図４及び図５を参照して説明する。なお、図４は維持回復機構の位置における１つの記録ヘッドの近傍部分の模式的説明図、図５は図４の平面説明図である。
この実施形態は、キャリッジ２の主走査方向とワイピング方向が同じ例である。この場合には、維持回復機構側のガイド部材１１、１２とキャリッジ２とが干渉することになるので、ガイド部材１１、１２を上下動させる機構を備え、ワイピング位置（維持回復位置）にキャリッジ２が移動するときには、ガイド部材１１、１２を下降させて退避させた後、キャリッジ２がワイピング位置に来たときにガイド部材１１、１２を上昇させるようにしている。
【００３７】
なお、ガイド部材１１、１２の上下動機構（昇降機構）は、特に図示していないが、スプリング、ソレノイド、カム等如何なる構成を用いても良い。
【００３８】
次に、本発明の第３実施形態について図６を参照して説明する。なお、図６は維持回復機構の位置における１つの記録ヘッドの近傍部分の模式的平面説明図である。
この実施形態もキャリッジ２の主走査方向とワイピング方向が同じ例である。ここでは、維持回復機構側のガイド部材１１、１２とキャリッジ２とが干渉することになるので、ガイド部材１１、１２がワイピング位置（維持回復位置）に対して進退する機構を備え、ワイピング位置にキャリッジ２が移動するときには、ガイド部材１１、１２を破線図示の位置に退避させた後、キャリッジ２がワイピング位置に来たときにガイド部材１１、１２を実線図示の位置に進入させるようにしている。この場合、ガイド部材１１、１２が破線図示の退避位置に移動したところで、ガイド部材１１、１２の表面（ワイパーブレード３との接触面）を清掃するメンテナンス機構などを別途設けることもできる。
【００３９】
これらの第２、第３実施形態のようにガイド部材を移動可能に配置することで、記録ヘッドが浸入してくるときには退避移動して、記録ヘッドとガイド部材とが干渉することを防ぐことができ、どのようなヘッド構成であっても適切な配置でガイド部材を備えることができる。
【００４０】
次に、本発明の第４実施形態について図７を参照して説明する。なお、図７は維持回復機構の位置における１つの記録ヘッドの近傍部分の模式的平面説明図である。
この実施形態では、ワイパーブレード３をワイピング方向に対して角度θ（例えば略５°程度）だけ傾けて配置している。
【００４１】
このような構成とすることで、ワイパーブレード３が開始側ガイド部材１１と記録ヘッド１のノズル面１ａとの間の開始側ギャップＸを乗り越えていくとき、図７で左から順に右側に乗り越える位置が移動していくことになる。したがって、ワイパーブレード３が一度に開始側ギャップＸを越えるわけではなく、少しずつ越えていくので、開始側ギャップＸを越えるときのショックが小さくなる。同様に、終了側ギャップＹにおいても同じことが言える。
【００４２】
このようにワイパーブレードがワイピング方向に対して傾いて配置されていることで、開始側、終了側のどちらのガイド部材と記録ヘッドのノズル面との段差を越えるときでも端から少しずつ越えさせることができるので、緩やかに段差を越えられるようになり、残留記録液の飛散を少なくすることができる。
【００４３】
次に、本発明の第５実施形態について図８を参照して説明する。なお、図８は維持回復機構の位置における１つの記録ヘッドの近傍部分の模式的平面説明図である。
この実施形態では、ワイパーブレード３のワイピング方向自体を記録ヘッド１に対して傾けている（ここでは略５°傾いてワイピングする。）。
【００４４】
この構成でも上記第４実施形態と同様に、開始側ギャップＸ、終了側ギャップＹをワイパーブレード３が越えるときに、少しずつ越えることでワイパーブレード３の戻りショックが少なくなる。また、この構成では、第４実施形態と比べて、ワイピングのときに残留インクの偏りが少なく（上記第４実施形態では図７では右側部分にインクが偏りやすい。）、ワイパーブレード３に残る残留インクの量を均等にすることができる。
【００４５】
このように記録ヘッドに対してワイパーブレードによるワイピング方向が傾いていることで、開始側、終了側のどちらのガイド部材と記録ヘッドのノズル面との段差を越えるときでも端から少しずつ越えさせることができるので、緩やかに段差を越えられるようになり、残留記録液の飛散を少なくすることができる。
【００４６】
次に、本発明の第６実施形態について図９を参照して説明する。なお、図９は維持回復機構の位置における複数の記録ヘッドの近傍部分の模式的平面説明図である。
この実施形態では、異なる色の液滴を吐出する３つの記録ヘッド１ｙ、１ｍ、１ｃをキャリッジ２に搭載し、各記録ヘッド１ｙ、１ｍ、１ｃ毎に開始側ガイド部材１１、終了側ガイド部材１２を配置している。このように記録ヘッドを複数配置してキャリッジに搭載する構成では、キャリッジ２の走査方向はワイピング方向と同じになるので、前述した第２、第３実施形態のようにガイド部材１１、１２を移動する構成としている。
【００４７】
そして、各記録ヘッド１ｙ、１ｍ、１ｃを共通のワイパーブレード３によってワイピングする構成としている。なお、ワイパーブレード３の駆動系は、図示していないが、モータ、ソレノイド、スプリング、カムなど特に限定されるものではない。また、ワイパーブレードはワイピング後下降するなどして元の位置に戻る。
【００４８】
このように各色の記録ヘッド毎に独立してガイド部材を備えることにより、各ヘッドを同じ条件で残留記録液を残さないように清浄化できる。
【００４９】
次に、本発明の第７実施形態について図１０を参照して説明する。なお、図１０は維持回復機構の位置における複数の記録ヘッドの近傍部分の模式的平面説明図である。
この実施形態では、異なる色の液滴を吐出する３つの記録ヘッド１ｙ、１ｍ、１ｃをキャリッジ２に搭載し、各記録ヘッド１ｙ、１ｍ、１ｃ毎に開始側ガイド部材１１、終了側ガイド部材１２を配置している。このように記録ヘッドを複数配置してキャリッジに搭載する構成では、キャリッジ２の走査方向はワイピング方向と同じになるので、前述した第２、第３実施形態のようにガイド部材１１、１２を移動する構成としている。
【００５０】
そして、ここでは、各記録ヘッド１ｙ、１ｍ、１ｃ毎にワイパーブレード３ｙ、３ｍ、３ｃを設けている。各ワイパーブレード３ｙ、３ｍ、３ｃは、図示しない１つの駆動系でワイピング方向に移動され、同じワイピングストロークでワイピングするようにしている。なお、ワイパーブレードの駆動系は、図示していないが、モーター、ソレノイド、スプリング、カムなど特に限定されるものではない。また、また、ワイパーブレードはワイピング後下降するなどして元の位置に戻る。
【００５１】
このように各記録ヘッド毎に独立したワイピング部材を備えることによって、各記録ヘッド間での異なる色の記録液の混色を防ぎ、かつ記録へッドに残留記録液を残さないように清浄化することができる。
【図面の簡単な説明】
【００５２】
【図１】本発明の第１実施形態に係る画像形成装置における維持回復位置における記録ヘッド近傍の模式的説明図である。
【図２】図１の平面説明図である。
【図３】同じく作用説明に供する説明図である。
【図４】本発明の第２実施形態に係る画像形成装置における維持回復位置における記録ヘッド近傍の模式的説明図である。
【図５】図２の平面説明図である。
【図６】本発明の第３実施形態に係る画像形成装置における維持回復位置における記録ヘッド近傍の模式的平面説明図である。
【図７】本発明の第４実施形態に係る画像形成装置における維持回復位置における記録ヘッド近傍の模式的平面説明図である。
【図８】本発明の第５実施形態に係る画像形成装置における維持回復位置における記録ヘッド近傍の模式的平面説明図である。
【図９】本発明の第６実施形態に係る画像形成装置における維持回復位置における記録ヘッド近傍の模式的説明図である。
【図１０】本発明の第７実施形態に係る画像形成装置における維持回復位置における記録ヘッド近傍の模式的説明図である。
【図１１】従前の画像形成装置における維持回復位置における記録ヘッド近傍の模式的説明図である。
【図１２】図１１のワイピング時の記録ヘッドへのインクの転写、飛散の説明に供する説明図である。
【符号の説明】
【００５３】
１…記録ヘッド
２…キャリッジ
３…ワイパーブレード（ワイピング部材）
１１…開始側ガイド部材
１２…終了側ガイド部材
【図１】
2007136991.tif 000003
【図２】
2007136991.tif 000004
【図３】
2007136991.tif 000005
【図４】
2007136991.tif 000006
【図５】
2007136991.tif 000007
【図６】
2007136991.tif 000008
【図７】
2007136991.tif 000009
【図８】
2007136991.tif 000010
【図９】
2007136991.tif 000011
【図１０】
2007136991.tif 000012
【図１１】
2007136991.tif 000013
【図１２】
2007136991.tif 000014